(57)【要約】【課題】建物を構成するパネル材の表面に被固定具を簡単かつ適切に固定する。【解決手段】建物の外壁パネルＰの外表面に壁繋ぎ部材の取り付け金具を固定するために用いられる治具１が、外壁パネルＰに対して着脱可能なベース部１０と、ベース部１０から延出した延出部２０と、延出部２０に接続された保持部３０と、を備える。そして、保持部３０は、ベース部１０が外壁パネルＰに取り付けられた状態において、取り付け金具を外壁パネルＰの外表面に対向させながら当該取り付け金具を保持する。【選択図】図４
2017166171.tif 000002
【特許請求の範囲】
【請求項１】
建物を構成するパネル材の表面に被固定具を固定するために用いられる被固定具固定用の治具であって、
前記パネル材に対して着脱可能なベース部と、
前記ベース部から延出した延出部と、
該延出部に接続されており、前記被固定具を保持する保持部と、を備え、
該保持部は、前記ベース部が前記パネル材に取り付けられた状態において、前記被固定具を前記表面に対向させながら保持することを特徴とする被固定具固定用の治具。
【請求項２】
前記ベース部は、隙間を設けた状態で並んでいる一対の前記パネル材の間に挟み込まれることで一対の前記パネル材の各々に対して取り付けられることを特徴とする請求項１に記載の被固定具固定用の治具。
【請求項３】
前記保持部は、前記延出部の延出方向端部に設けられた箱型の枠体を有し、
前記表面の法線方向における前記枠体の両端が開口端となっており、
前記開口端を通じて前記枠体の内側に前記被固定具が入り込むことにより、前記保持部が前記被固定具を保持することを特徴とする請求項１又は２に記載の被固定具固定用の治具。
【請求項４】
前記保持部は、前記枠体の内壁面に貼り付けられた弾性体を有し、
前記枠体の内側に前記被固定具が入り込んで前記弾性体が前記被固定具の外形形状に合わせて弾性変形することにより、前記保持部が前記被固定具を保持することを特徴とする請求項３に記載の被固定具固定用の治具。
【請求項５】
前記延出部は、前記延出部の延出方向における中央部分にて前記ベース部と交差した状態で前記ベース部に組み付けられており、
前記延出方向における前記延出部の両端部の各々に前記保持部が設けられていることを特徴とする請求項１乃至４のいずれか一項に記載の被固定具固定用の治具。
【請求項６】
前記ベース部は、長尺体であり、
前記延出部は、前記ベース部の長手方向に沿って移動可能な状態で前記ベース部に組み付けられていることを特徴とする請求項１乃至５のいずれか一項に記載の被固定具固定用の治具。
【請求項７】
前記ベース部には、前記長手方向における基準位置からの距離を示すための印が形成されていることを特徴とする請求項６に記載の被固定具固定用の治具。
【請求項８】
前記ベース部は、互いに交差する第一部分及び第二部分を有し、
前記延出部は、前記第一部分と交差し、且つ前記第二部分に沿う方向に延出しており、
前記ベース部が前記パネル材に取り付けられる際、前記第二部分が前記パネル材の外縁に当接することで前記ベース部を位置決めすることを特徴とする請求項１乃至７のいずれか一項に記載の被固定具固定用の治具。
【請求項９】
前記被固定具固定用の治具は、前記建物周りに設置された足場を前記建物の外壁を構成する前記パネル材に繋ぐための壁繋ぎ部材が取り付けられる前記被固定具としての取り付け具を前記表面に固定する際に用いられることを特徴とする請求項１乃至８のいずれか一項に記載の被固定具固定用の治具。
【発明の詳細な説明】
【技術分野】
【０００１】
本発明は、被固定具固定用の治具に係り、特に、建物を構成するパネル材の表面に被固定具を固定するために用いられる治具に関する。
【背景技術】
【０００２】
建物を構成するパネル材の表面に固定される部品（被固定具）は、既に知られている。被固定具の一例としては、特許文献１に記載の取り付け具が挙げられる。特許文献１に記載の取り付け具について図８及び９を参照しながら説明すると、当該取り付け具（以下、取り付け金具１００）は、図８に示すように、長径が１０ｃｍ程度となった楕円柱型の部品である。この取り付け金具１００は、建物周りに構築される足場を建物の外壁に繋ぐための部材（以下、壁繋ぎ部材１１０）を支持するために用いられる。また、取り付け金具１００は、図８に示すように外壁パネルＰの外表面にビスにて固定される。
【０００３】
外壁パネルＰの外表面に取り付け金具１００を固定した後、取り付け金具１００の中央部に形成されたネジ孔１０１に、壁繋ぎ部材１１０の端部に形成されたネジ部を螺合させる。これにより、図９に示すように、取り付け金具１００に壁繋ぎ部材１１０が支持され、この結果、壁繋ぎ部材１１０が取り付け金具１００を介して外壁パネルＰに取り付けられるようになる。
【先行技術文献】
【特許文献】
【０００４】
【特許文献１】特開２００９−１０２８８５号公報
【発明の概要】
【発明が解決しようとする課題】
【０００５】
ところで、取り付け金具１００を外壁パネルＰの外表面にビス止めする場合、通常、取り付け金具１００を把持しながら、取り付け金具１００に形成されたビス孔１０２にビスを挿入し、その後、ビス止め用の工具を用いてビスを外壁パネルＰに打ち付ける。このような作業において取り付け金具１００を外壁パネルＰに対して適切に固定するためには、取り付け金具１００の位置及び姿勢を保持しながらビス止めを行う必要がある。一方で、取り付け金具１００を把持しながら工具を取り扱うことは、その作業に慣れていない者にとって困難である。また、取り付け金具１００の位置及び姿勢が適切に保持されていない状態で取り付け金具１００をビス止めしてしまうと、取り付け金具１００が正しい位置及び姿勢にて外壁パネルＰに固定されない虞がある。
【０００６】
そこで、本発明は、上記の課題に鑑みてなされたものであり、その目的とするところは、建物を構成するパネル材の表面に被固定具を簡単かつ適切に固定するための治具を提供することである。
【課題を解決するための手段】
【０００７】
前記課題は、本発明の被固定具固定用の治具によれば、建物を構成するパネル材の表面に被固定具を固定するために用いられる被固定具固定用の治具であって、（Ａ）前記パネル材に対して着脱可能なベース部と、（Ｂ）前記ベース部から延出した延出部と、（Ｃ）該延出部に接続されており、前記被固定具を保持する保持部と、を備え、（Ｄ）該保持部は、前記ベース部が前記パネル材に取り付けられた状態において、前記被固定具を前記表面に対向させながら保持することにより解決される。
【０００８】
上記のように構成された本発明の被固定具固定用の治具は、そのベース部がパネル材に取り付けられた状態にあるとき、被固定具を保持部によって保持する。かかる状態において、被固定具は、パネル材の表面に対向している。このように本発明の被固定具固定用の治具によれば、パネル材の表面に対向する位置に被固定具を保持しておくことが可能となる。これにより、作業者は、被固定具の固定作業において被固定具の位置及び姿勢を保持するために当該被固定具を把持しておく必要がなくなる。この結果、パネル材の表面に被固定具を簡単かつ適切に固定することが可能となる。
【０００９】
また、上記の構成において、前記ベース部は、隙間を設けた状態で並んでいる一対の前記パネル材の間に挟み込まれることで一対の前記パネル材の各々に対して取り付けられると、好適である。
上記の構成では、ベース部が一対のパネル材の間に挟み込まれることで各パネル材に対して取り付けられる。かかる構成であれば、ベース部を含む被固定具固定用の治具をセット（配置）する作業をより容易に行うことが可能となる。
【００１０】
また、上記の構成において、前記保持部は、前記延出部の延出方向端部に設けられた箱型の枠体を有し、前記表面の法線方向における前記枠体の両端が開口端となっており、前記開口端を通じて前記枠体の内側に前記被固定具が入り込むことにより、前記保持部が前記被固定具を保持すると、より好適である。
上記の構成では、保持部が有する枠体の内側に被固定具を入れ込むことにより、保持部が被固定具を保持するようになる。また、パネル材の表面の法線方向における枠体の両端が開口端となっているため、保持部によって保持された状態の被固定具をスムーズにパネル材の表面に固定することが可能となる。
【００１１】
また、上記の構成において、前記保持部は、前記枠体の内壁面に貼り付けられた弾性体を有し、前記枠体の内側に前記被固定具が入り込んで前記弾性体が前記被固定具の外形形状に合わせて弾性変形することにより、前記保持部が前記被固定具を保持すると、更に好適である。
上記の構成では、保持部が有する枠体の内側に被固定具を入れ込んだ際、枠体の内側に設けられた弾性体が被固定具の外形形状に合わせて弾性変形する。すなわち、枠体と被固定具との間のスペースが弾性体によって埋められるので、被固定具は、枠体の内側で良好に保持されるようになる。つまり、上記の構成であれば、被固定具を保持している状態を安定させることが可能となる。
【００１２】
また、上記の構成において、前記延出部は、前記延出部の延出方向における中央部分にて前記ベース部と交差した状態で前記ベース部に組み付けられており、前記延出方向における前記延出部の両端部の各々に前記保持部が設けられていると、尚好適である。
上記の構成では、延出部の両端部の各々に保持部が設けられている。これにより、治具一つあたりに複数（具体的には２個）の被固定具を保持させることが可能である。また、延出部は、その延出方向中央部にてベース部に組み付けられている。このため、延出部の両端部に設けられた保持部は、ベース部を基準にして対称的に配置されることになる。これにより、２個の被固定具の各々は、ベース部を基準にして対称的な位置で保持されることになる。この結果、例えば、２個の被固定具の各々を同じ高さにてパネル材の表面に固定する作業を、より容易に行うことが可能となる。
【００１３】
また、上記の構成において、前記ベース部は、長尺体であり、前記延出部は、前記ベース部の長手方向に沿って移動可能な状態で前記ベース部に組み付けられていると、より一層好適である。
上記の構成では、延出部がベース部の長手方向に沿って移動可能である。したがって、延出部に接続された保持部についても、ベース部の長手方向に沿って移動可能となる。このように保持部の位置が可変となっていることで、保持部によって保持された被固定具の位置を調整することが可能となる。この結果、被固定具をパネル材の表面に固定する際には、当該被固定具の位置を適当な位置となるように調整（変更）することが可能となる。
【００１４】
また、上記の構成において、前記ベース部には、前記長手方向における基準位置からの距離を示すための印が形成されていると、益々好適である。
上記の構成では、ベース部に、その長手方向における基準位置からの距離を示すための印が形成されている。かかる構成であれば、延出部を動かして保持部及び当該保持部に保持された被固定具の位置を調整する際に、上記の印を手掛かりにして位置調整を行うことが可能となる。これにより、被固定具の位置調整がより容易になる。
【００１５】
また、上記の構成において、前記ベース部は、互いに交差する第一部分及び第二部分を有し、前記延出部は、前記第一部分と交差し、且つ前記第二部分に沿う方向に延出しており、前記ベース部が前記パネル材に取り付けられる際、前記第二部分が前記パネル材の外縁に当接することで前記ベース部を位置決めすると、尚更好適である。
上記の構成では、ベース部をパネル材に取り付ける際、ベース部に備えられた第二部分をパネル材の外縁に当接させることでベース部が位置決めされるようになる。これにより、ベース部を適当な位置にてパネル材に取り付けることが可能となる。また、ベース部が位置決めされることにより、ベース部から延出した延出部、及び、延出部に接続された保持部についても位置決めされるようになる。この結果、保持部によって保持された被固定具をパネル材の表面に固定する際には、当該被固定具を適切な位置にセットした上で固定することが可能となる。
【００１６】
また、上記の構成において、前記被固定具固定用の治具は、前記建物周りに設置された足場を前記建物の外壁を構成する前記パネル材に繋ぐための壁繋ぎ部材が取り付けられる前記被固定具としての取り付け具を前記表面に固定する際に用いられてもよい。
上記の構成であれば、壁繋ぎ部材の取り付け具を建物の外壁パネルの表面に簡単かつ適切に固定することが可能となる。
【発明の効果】
【００１７】
本発明によれば、建物を構成するパネル材の表面に被固定具を簡単かつ適切に固定することが可能となる。これにより、被固定具の取り付け作業における作業性が向上し、その作業品質（具体的には、被固定具を固定した際の精度）についても、作業者の技量に依らずに一定の水準以上を確保することが可能となる。
【図面の簡単な説明】
【００１８】
【図１】本発明の一実施形態に係る被固定具固定用の治具の正面図である。
【図２】保持部によって保持された被固定具を示す図である。
【図３】被固定具の固定方法の流れを示した図である。
【図４】本発明の一実施形態に係る被固定具固定用の治具を位置決めした様子を示す図である。
【図５】本発明の一実施形態に係る被固定具固定用の治具を用いて被固定具を建物の外壁に固定する様子を示す図である。
【図６】建物の外壁に複数の被固定具が規則正しく固定された状況を示す図である。
【図７】変形例に係る被固定具固定用の治具を示す図である。
【図８】壁繋ぎ部材の取り付け金具を示す図である。
【図９】取り付け金具と、取り付け金具に取り付けられた壁繋ぎ部材とを示す図である。
【発明を実施するための形態】
【００１９】
以下、本発明の一実施形態（以下、本実施形態）について説明する。なお、以下に説明する各部材の形状、構造、寸法及び材質については、あくまでも一例であり、任意に設計することが可能である。
【００２０】
本実施形態に係る被固定具固定用の治具（以下、本治具１）は、壁繋ぎ部材１１０が取り付けられる取り付け金具１００を建物の外壁パネルＰの外表面に固定（具体的には、ビス止め）する際に用いられる金物である。つまり、本実施形態において、取り付け金具１００は、被固定具としての取り付け具に相当し、外壁パネルＰは、建物の外壁を構成するパネル材に相当する。また、外壁パネルＰの外表面は、外部に露出する表面であり、本実施形態では、外壁パネルＰ中の最外部をなす面材の外側表面である。なお、取り付け金具１００及び壁繋ぎ部材１１０については、発明が解決しようとする課題の項で既に説明しているため、以下では説明を省略することとする。
【００２１】
本治具１の構成について説明すると、本治具１は、図１に図示した外形形状をなしており、作業者が自由に持ち運ぶことが可能なサイズとなっている。また、同図に示すように、本治具１は、ベース部１０と、延出部２０と、保持部３０とによって構成されている。以下、本治具１の各部（具体的には、ベース部１０、延出部２０及び保持部３０）について説明する。
【００２２】
ベース部１０は、本治具１の支柱をなす部分であり、長尺体によって構成されている。また、ベース部１０は、本治具１を利用するに際して外壁パネルＰに取り付けられ、本治具１の利用が終了した後に外壁パネルＰから取り外される。すなわち、ベース部１０は、外壁パネルＰに対して着脱自在に構成されている。なお、ベース部１０を外壁パネルＰに取り付ける方法については、後述することとする。
【００２３】
ベース部１０の構成について詳しく説明すると、ベース部１０は、図１に示すように、直線状に長く延びた第一部分１１と、第一部分１１の長手方向一端に取り付けられた第二部分１２と、第一部分１１の長手方向に沿って第一部分１１の両側端に貼り付けられたゴム部１３と、を有する。
【００２４】
第一部分１１は、ベース部１０の本体であり、本実施形態では、金属の角材によって構成されている。また、第一部分１１の一表面（厳密には、本治具１を使用する際に正面を向く側の面）には目盛１４が形成されている。この目盛１４は、第一部分１１の長手方向における基準位置からの距離を示す印であり、等間隔（例えば、１ｍｍ間隔）で複数形成されている。なお、本実施形態では、第一部分１１の長手方向における端位置（厳密には、第二部分１２が取り付けられている側とは反対側の端位置）を基準位置としている。ただし、これに限定されるものではなく、基準位置については任意に設定可能である。
【００２５】
以上のように第一部分１１は、支柱としての機能を備えると共に、スケール（定規）としての機能を兼ね備えている。
【００２６】
第二部分１２は、ベース部１０の長手方向と交差する方向に延出しており、本実施形態では金属平板によって構成されている。なお、第二部分１２の延出方向両端部は、図１に示すように、第一部分１１の側端及び当該側端に貼り付けられたゴム部１３よりも外側に幾分張り出している。このように構成された第二部分１２は、後述するように、本治具１を位置決めする際に位置決め部として機能する。
【００２７】
ゴム部１３は、第一部分１１の両側端の各々に貼り付けられており、第一部分１１の幅方向において幾分の厚みを有している。これにより、ベース部１０の幅は、ゴム部１３が貼り付けられた分だけ増加している。なお、本実施形態では、ゴム部１３が第一部分１１の長手方向一端から他端に亘って連続して貼り付けられているが、これに限定されるものではなく、断続的に貼り付けられていてもよい。あるいは、第一部分１１の長手方向一端から他端までの範囲の一部にのみゴム部１３が貼り付けられていてもよい。
【００２８】
延出部２０は、ベース部１０の長手方向と略直交する方向に延出している部分である。厳密に説明すると、延出部２０は、前述の第一部分１１とは交差し、第二部分１２に沿った方向に延出している。なお、本実施形態において、延出部２０は、金属製の棒状部材若しくは平板部材によって構成されている。
【００２９】
また、延出部２０は、図１に示すように、その延出方向における中央部分にてベース部１０と交差した状態でベース部１０に組み付けられている。より分かり易く説明すると、延出部２０は、ベース部１０を基準として左右対称となった状態でベース部１０に組み付けられている。
【００３０】
さらに、本実施形態において、延出部２０は、ベース部１０の長手方向に沿って移動可能な状態でベース部１０に組み付けられている。つまり、延出部２０は、ベース部１０上をスライド移動することが可能である。そして、延出部２０がベース部１０上をスライド移動することにより、ベース部１０に対する延出部２０の相対位置がベース部１０の長手方向に沿って変化する。なお、ベース部１０上をスライド移動可能な状態で延出部２０をベース部１０に組み付ける構成については、特に限定されるものではなく、公知の構成（例えば、ベース部１０上における延出部２０のスライド移動を実現するための嵌合構造）を採用することが可能である。
【００３１】
保持部３０は、取り付け金具１００を外壁パネルＰに固定する際に取り付け金具１００を保持する部分である。保持部３０は、図１に示すように、延出部２０の延出方向両端部の各々に設けられている。つまり、本実施形態では、一つの本治具１につき、二つの保持部３０が備えられている。ただし、一つの本治具１に備えられる保持部３０の数については自由に決めることが可能であり、二つ以外の個数であってもよい。
【００３２】
そして、各保持部３０は、ベース部１０が外壁パネルＰに取り付けられた状態において、取り付け金具１００を外壁パネルＰの外表面に対向させながら当該取り付け金具１００を保持する。本実施形態に係る保持部３０が取り付け金具１００を保持するために採用している構成について説明すると、保持部３０は、図１に示すように、箱型の枠体３１と、枠体３１の内側に配置された弾性体３２とを有する。
【００３３】
枠体３１は、正面視で矩形状の金属枠体であり、延出部２０の延出方向端部に接合されている。また、枠体３１は、取り付け金具１００と比べて一回り以上大きなサイズを有している。さらに、枠体３１の前端及び後端（図１において紙面を貫く方向における両端）が開口端となっている。この開口のサイズは、取り付け金具１００の外形サイズ（厳密には、取り付け金具１００を正面から見たときの外形サイズ）よりも幾分大きくなっている。
【００３４】
弾性体３２は、枠体３１の内壁面に貼り付けられたゴム又は海綿体からなり、本実施形態では、枠体３１の内壁面の全周に亘って貼り付けられている。ただし、これに限定されるものではなく、枠体３１の内周面の一部のみに弾性体３２が貼り付けられていてもよい。
【００３５】
そして、枠体３１の内部空間のうち、弾性体３２よりも内側に位置する部分には、正面視で略矩形状の空洞部３３が形成されている。この空洞部３３の外形サイズ（厳密には、空洞部３３を正面から見たときの外形サイズ）は、取り付け金具１００の外形サイズよりも若干小さくなっている。
【００３６】
以上のような構成の保持部３０は、上記の空洞部３３に取り付け金具１００を入れ込むことによって当該取り付け金具１００を保持する。具体的に説明すると、取り付け金具１００を枠体３１の前端側の開口（開口端）を通じて枠体３１内に入れ、上記の空洞部３３に導き入れる。この際、取り付け金具１００は、空洞部３３を囲む弾性体３２を外側に押し退けながら空洞部３３内に進入する。したがって、取り付け金具１００が空洞部３３に入り込んだ状態では、図２に示すように、弾性体３２が取り付け金具１００の外形形状に合わせて弾性変形するようになる。つまり、取り付け金具１００は、空洞部３３に入り込んで空洞部３３の周囲に在る弾性体３２と密着することにより、弾性体３２からの規制を受けて枠体３１内でホールドされるようになる。なお、図２は、保持部３０によって保持された状態の取り付け金具１００を正面から見たときの模式図である。
【００３７】
また、図２に示すように、保持部３０が取り付け金具１００を保持している状態では、取り付け金具１００のネジ孔１０１及びビス孔１０２が露出している。より詳しく説明すると、貫通孔であるビス孔１０２については、その前側開口及び後側開口がともに外部に対して露出している。つまり、本実施形態に係る保持部３０は、取り付け金具１００を保持しながらビス止めし得る状態で取り付け金具１００を保持する構成となっている。
【００３８】
次に、本治具１を用いて取り付け金具１００を外壁パネルＰの表面に固定する方法について説明する。なお、以下に説明する方法は、本発明の被固定具の固定方法に相当する。また、以下では、建物の外壁一面あたりに複数の外壁パネルＰが配置され、厳密には、上下方向（鉛直方向）及び水平方向の各方向において複数の外壁パネルＰが整列した状態で配置されているケースを想定して説明することとする。
【００３９】
取り付け金具１００を固定する作業は、図３に示す流れに従って進行する。具体的に説明すると、作業に際して先ず本治具１を用意し、そのベース部１０を外壁パネルＰに取り付ける（Ｓ００１）。具体的に説明すると、ベース部１０の長手方向が上下方向（鉛直方向）に沿うように本治具１を把持し、水平方向に並んだ一対の外壁パネルＰの間に形成された隙間（すなわち、縦目地Ｍｖ）内にベース部１０中の第一部分１１及びゴム部１３を嵌め込む。
【００４０】
より詳しく説明すると、縦目地Ｍｖの幅は、ベース部１０の幅（厳密には、第一部分１１の幅にゴム部１３の幅を加えた長さ）よりも若干短くなっている。このため、ベース部１０中の第一部分１１及びゴム部１３を縦目地Ｍｖ内に入れ込むと、ゴム部１３が圧縮変形するようになる。これにより、ベース部１０は、図４に示すように、当該ベース部１０が入り込んだ縦目地Ｍｖの両脇に位置する外壁パネルＰの間に挟み込まれるようになる。この結果、ベース部１０は、隣接する一対の外壁パネルＰの各々に対して取り付けられ、また、外壁パネルＰの間に挟み込まれることで自立支持されるようになる（分かり易くは、落下しない状態を維持するようになる）。
【００４１】
なお、ベース部１０を縦目地Ｍｖ内に入れ込む際、当該縦目地と交差する目地（すなわち、横目地Ｍｈ）内にベース部１０中の第二部分１２を入れ込む。そして、図４に示すように、第二部分１２が入り込んだ横目地Ｍｈの直上位置にある外壁パネルＰの外縁の下端に、第二部分１２のうち、第一部分１１よりも外側に張り出た部分を当接させる。これにより、ベース部１０は、上下方向及び水平方向において位置決めされた状態で外壁パネルＰに取り付けられるようになる。
【００４２】
そして、ベース部１０が外壁パネルＰに取り付けられると、図４に示すように、延出部２０及び保持部３０が外壁パネルＰの外表面の手前に位置するようになる。この際、同図に示すように、延出部２０の延出方向が水平方向に沿うようになり、また、保持部３０の前後方向が外壁パネルＰの外表面の法線方向に沿うようになる。
【００４３】
ベース部１０を外壁パネルＰに取り付けた後、保持部３０内（具体的には、枠体３１内の空洞部３３）に取り付け金具１００を入れ込む（Ｓ００２）。これにより、取り付け金具１００が保持部３０によって保持されるようになる。ここで、ベース部１０を外壁パネルＰに取り付けた状態にあるときに保持部３０が取り付け金具１００を保持すると、図５に示すように、当該取り付け金具１００の後端面が、外壁パネルＰの外表面と対向するようになる。以上のようにステップＳ００２では、ベース部１０が外壁パネルＰに取り付けられた状態において保持部３０によって、取り付け金具１００を外壁パネルＰの外表面に対向させながら保持する。なお、図５は、本治具１を用いて取り付け金具１００を外壁パネルＰの外表面に固定する様子を示す図であり、ベース部１０が外壁パネルＰに取り付けられた状態の本治具１を上方から見たときの図である。
【００４４】
保持部３０によって取り付け金具１００を保持した後、必要に応じて、延出部２０をベース部１０の長手方向に沿ってスライドさせて延出部２０の位置を調整する（Ｓ００３）。本ステップにより、保持部３０及び保持部３０に保持された取り付け金具１００の位置が、上下方向において調整される。この際、ベース部１０に形成された目盛１４を適宜参照することにより、延出部２０の位置（厳密には、基準位置からの距離）を好適な位置にセットすることが可能となる。
【００４５】
その後、保持部３０内に保持された取り付け金具１００を外壁パネルＰの外表面にビス止めする（Ｓ００４）。より具体的に説明すると、延出部２０の位置が適正な位置にセットされた後、空洞部３３内に位置する取り付け金具１００を奥側（枠体３１の後側）に押し込む。これにより、図５に示すように、取り付け金具１００の後端部が枠体３１の後端から外側に若干はみ出し、取り付け金具１００の後端面が外壁パネルＰの外表面に当接するようになる。なお、この際、取り付け金具１００は、引き続き保持部３０によって保持されており、換言すると、取り付け金具１００の位置及び姿勢が保持部３０からの拘束力によって規制された状態にある。
【００４６】
そして、取り付け金具１００が上記の状態にある間にビスＢをビス孔１０２に挿入する。これにより、取り付け金具１００が外壁パネルＰの外表面に固定される。このとき、取り付け金具１００が保持部３０によって保持されているため、作業者は、取り付け金具１００を把持する必要がないので、例えばビス止め用の工具を適切に取り扱うことが可能となる。また、ビス止め作業中、取り付け金具１００の位置及び姿勢は、保持部３０（より具体的には、弾性体３２）からの拘束力によって規制されている。この結果、ビス止め作業中において取り付け金具１００がビスＢを中心にして回転してしまって当該取り付け金具１００が正常な位置及び正常な姿勢にて固定されなくなるという事態が回避されるようになる。
【００４７】
なお、本実施形態では、本治具１一つあたりに保持部３０が二つ設けられているため、二つの取り付け金具１００を同時に保持することが可能である。このように二つの取り付け金具１００を同時に保持している場合、上記の要領にて二つの取り付け金具１００のそれぞれを固定することになる。
【００４８】
取り付け金具１００の固定が完了した後、ベース部１０を縦目地Ｍｖ内から取り出して外壁パネルＰから取り外す（Ｓ００５）。かかる時点で、今回の固定作業（一回の固定作業）が完了し、本治具１は、次回以降の固定作業に再利用されるようになる。
【００４９】
そして、上記の各ステップＳ００１〜Ｓ００５が繰り返し実施されて固定作業が複数回行われることにより、建物中の同じ面に並べられた複数の外壁パネルＰの各箇所に取り付け金具１００が固定される。ここで、建物中の同じ面に設けられた取り付け金具１００は、それぞれが本治具１を用いて外壁パネルＰの外表面に固定されることにより、図６に示すように、上下方向及び水平方向に規則正しく配置されるようになる。図６は、建物の外壁に複数の取り付け金具１００が規則正しく固定された状況を示す図である。なお、図示の都合により、図６では、取り付け金具１００を幾分簡略化して図示している。
【００５０】
より詳しく説明すると、水平方向に並べて取り付け金具１００を配置する際には、本治具１を位置決めしてから保持部３０に取り付け金具１００を保持する。また、必要に応じて延出部２０をベース部１０の長手方向に沿ってスライドさせて当該延出部２０の位置を上下方向において調整する。これらの工程を経て最終的に取り付け金具１００を外壁パネルＰにビス止めすれば、当該取り付け金具１００が、上下方向において所定位置に（厳密には、基準位置からの距離が所定距離となる位置に）配置されるようになる。この結果、図６に示すように、複数の取り付け金具１００が水平方向と略平行な列をなすようにセットされる。
【００５１】
また、鉛直方向に並べて取り付け金具１００を配置する際にも、上記と同様の手順にて取り付け金具１００を外壁パネルＰにビス止めすれば、各取り付け金具１００が、水平方向において所定位置に（厳密には、縦目地Ｍｖからの距離が所定距離となる位置に）配置されるようになる。この結果、図６に示すように、複数の取り付け金具１００が鉛直方向と略平行な列をなすようにセットされる。
【００５２】
以上までに本実施形態に係る被固定具固定用の治具、及び、当該治具を用いた被固定具の固定方法について説明してきたが、上記の実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００５３】
また、上記の実施形態では、ベース部１０を構成する第一部分１１の長手方向一端（下端）において、同じくベース部１０を構成する第二部分１２が第一部分１１と交差するように設けられていることとした。ただし、これに限定されるものではなく、第一部分の長手方向中途位置にて第一部分及び第二部分が交差している構成であってもよい。かかる変形例について図７を参照しながら説明すると、変形例に係る治具１ｘでは、ベース部１０ｘを構成する第一部分１１ｘの長手方向一端（下端）よりもやや他端側（上側）の位置で第二部分１２ｘが交差している。また、変形例では、第一部分１１ｘの横幅と第二部分１２ｘの縦幅とが略同一である。また、変形例では、第一部分１１ｘの両側端にゴム部１３ｘが貼り付けられていると共に、第二部分１２ｘの上下端にもゴム部１３ｘが貼り付けられている。
【００５４】
そして、変形例では、図７に示すように、ベース部１０ｘを外壁パネルＰに取り付けるにあたり、第一部分１１ｘ及びその両側端に貼り付けられたゴム部１３ｘを縦目地Ｍｖ内に嵌め込み、第二部分１２ｘ及びその上下端に貼り付けられたゴム部１３を横目地Ｍｈ内に嵌め込む。この結果、ベース部１０ｘは、より強固に外壁パネルＰに取り付けられ、その取り付け状態（換言すると、自立支持している状態）についても、より安定するようになる。
【００５５】
また、上記の実施形態では、ベース部１０を外壁パネルＰ間の縦目地Ｍｖ内に入れ込み、その両脇に位置する外壁パネルＰによって挟み込むことで当該ベース部１０を外壁パネルＰに取り付けることとした。ただし、ベース部１０が配置される場所については、縦目地Ｍｖに限定されず、外壁パネルＰ中の他の部分であってもよい。また、ベース部１０の取り付け方式についても、上記の方式に限定されず、他の方式（例えば、磁石を利用した取り付け方式）であってもよい。
【００５６】
上記の実施形態では、壁繋ぎ部材１１０の取り付け用部品である取り付け金具１００を被固定具の一例として挙げ、当該取り付け金具１００を外壁パネルＰの外表面に固定するために用いられる治具について説明した。ただし、被固定具については、取り付け金具１００に限定されるものではなく、外壁パネルＰの外表面に固定される他の部品（例えば、物干し金物）であってもよく、本発明は、当該部品を固定する際にも利用可能である。
【００５７】
また、本発明は、外壁パネルＰの外表面に固定される部品以外の部品を固定する際にも利用可能であり、例えば、外壁パネルＰの内側表面に固定される部品、あるいは、外壁パネルＰとは異なるパネル材（具体的には屋根パネル等）に固定される部品を固定する際にも利用可能である。
【符号の説明】
【００５８】
１  本治具（被固定具固定用の治具）
１ｘ  変形例に係る治具（被固定具固定用の治具）
１０、１０ｘ  ベース部
１１、１１ｘ  第一部分
１２、１２ｘ  第二部分
１３、１３ｘ  ゴム部
１４  目盛（印）
２０  延出部
３０  保持部
３１  枠体
３２  弾性体
３３  空洞部
１００  取り付け金具（被固定具、取り付け具）
１０１  ネジ孔
１０２  ビス孔
１１０  壁繋ぎ部材
Ｂ  ビス
Ｍｈ  横目地
Ｍｖ  縦目地
Ｐ  外壁パネル（パネル材）
【図１】
2017166171.tif 000003
【図２】
2017166171.tif 000004
【図３】
2017166171.tif 000005
【図４】
2017166171.tif 000006
【図５】
2017166171.tif 000007
【図６】
2017166171.tif 000008
【図７】
2017166171.tif 000009
【図８】
2017166171.tif 000010
【図９】
2017166171.tif 000011